(57)【要約】【課題】玄関子機から室内親機への着信を自動転送する場合には室内親機側で転送機能等の設定操作が必要となる。【解決手段】呼出ボタン１１のボタン操作に応じて呼出信号を出力する親宅玄関子機３Ａと、呼出信号に応じて着信を検出する着信検出部４４及び、着信に対する応答を検出する応答検出部４６を備えた親宅室内親機５Ａとを有する二世帯インターホンシステム１であって、親宅室内親機は、親宅玄関子機の着信に応じてタイマ監視を開始し、同タイマ監視中の同一訪問者判定期間内に親宅玄関子機の着信を再度検出すると、同着信に対する不応答であると判断し、同着信を息子宅室内親機５Ｂに自動転送する親機側制御部５０とを有している。【選択図】図１
2007143053.tif 000002
【特許請求の範囲】
【請求項１】
呼出ボタンのボタン操作に応じて呼出信号を出力する玄関子機と、前記呼出信号に応じて着信を検出する着信検出手段及び、前記着信検出手段にて検出した着信に対する応答を検出する応答検出手段を備えた室内親機とを有するインターホン装置であって、
前記室内親機は、
前記応答検出手段の検出結果に基づき、前記着信に対して不応答であるか否かを判定する不応答判定手段と、
前記不応答判定手段にて前記着信に対して不応答であると判定されると、不応答処理を実行する不応答処理手段とを有することを特徴とするインターホン装置。
【請求項２】
前記着信検出手段にて前記着信を検出すると、着信経過時間の計時動作を開始する計時手段を有し、
前記不応答判定手段は、
前記計時手段にて計時動作中の前記着信経過時間が所定時間を超えて、前記着信検出手段にて前記着信を再度検出すると、前記着信に対して不応答であると判定することを特徴とする請求項１記載のインターホン装置。
【請求項３】
前記玄関子機は、
前記玄関前の訪問者を感知する訪問者感知手段と、
前記訪問者感知手段にて前記訪問者を感知したことを示す感知信号を前記室内親機に伝送する感知信号伝送手段とを有し、
前記室内親機は、
前記感知信号伝送手段から受信した感知信号の有無に基づき、現在の前記訪問者の有無を更新記憶する訪問者有無記憶手段を有し、
前記不応答判定手段は、
前記訪問者有無記憶手段にて前記訪問者の有りの状態で、前記着信検出手段にて前記着信を再度検出すると、前記着信に対して不応答であると判定することを特徴とする請求項１記載のインターホン装置。
【請求項４】
前記玄関子機は、
前記玄関前の状態を撮像して映像信号を出力する撮像手段と、
前記撮像手段にて出力された映像信号を変調して、この変調信号の変調キャリアの一部を前記呼出信号又は前記感知信号に応じて出力停止制御すると共に、この変調信号を前記室内親機に伝送する信号重畳手段とを有し、
前記室内親機は、
前記感知信号又は前記呼出信号毎に所定時間における前記変調キャリア信号の出力停止回数を予め記憶した出力停止回数記憶手段と、
前記玄関子機から前記変調信号を受信すると、所定時間における前記変調キャリア信号の出力停止回数を計測し、この計測結果と前記出力停止回数記憶手段に記憶された出力停止回数とを比較し、この比較結果に基づき、前記呼出信号又は前記感知信号の有無を判別する信号判定手段とを有することを特徴とする請求項３記載のインターホン装置。
【請求項５】
前記室内親機は、
この室内親機以外の他の室内親機と接続する室内親機接続インタフェースを有し、
前記不応答処理手段は、
前記不応答判定手段にて前記着信に対する不応答であると判定されると、前記室内親機接続インタフェースを通じて前記他の室内親機に対して前記着信を転送する前記不応答処理を実行することを特徴とする請求項１，２，３又は4記載のインターホン装置。
【請求項６】
前記室内親機は、
この室内親機以外の他の室内親機に無線収容接続する無線室内子機を識別する子機ＩＤが付与され、この子機ＩＤを使用して前記他の室内親機と通信することを特徴とする請求項５記載のインターホン装置。
【請求項７】
前記室内親機に収容接続される複数の室内子機を有し、
前記不応答処理手段は、
前記不応答判定手段にて前記着信に対する不応答であると判定されると、この室内親機に収容接続する全部の室内子機に対して前記着信を転送する前記不応答処理を実行することを特徴とする請求項１，２，３又は４記載のインターホン装置。
【請求項８】
前記室内親機は、
電話機と接続する電話機インタフェースを有し、
前記不応答処理手段は、
前記不応答判定手段にて前記着信に対する不応答であると判定されると、前記電話機インタフェース及び電話機を通じて所定電話番号の電話機に対して前記着信を転送する前記不応答処理を実行することを特徴とする請求項１，２，３又は４記載のインターホン装置。
【請求項９】
前記室内親機は、
留守番電話機と接続する留守番電話機インタフェースを有し、
前記不応答処理手段は、
前記不応答判定手段にて前記着信に対する不応答であると判定されると、前記留守番電話機インタフェースを通じて前記留守番電話機に対して前記着信を転送すると共に、前記留守番電話機側の着信応答に応じて前記玄関子機の通話音声を留守番電話機に録音させる前記不応答処理を実行することを特徴とする請求項１，２，３又は４記載のインターホン装置。
【請求項１０】
前記留守番電話機インタフェースは、
前記玄関子機に対する前記留守番電話機の着信応答を検出すると、前記留守録機能電話機からの所定メッセージを受信し、この所定メッセージを前記玄関子機に伝送することを特徴とする請求項９記載のインターホン装置。
【発明の詳細な説明】
【技術分野】
【０００１】
本発明は、室外玄関に配置され、呼出ボタンのボタン操作に応じて呼出信号を出力する玄関子機と、室内に配置され、前記呼出信号に応じて着信を検出し、この着信に対して応答可能にした室内親機とを有するインターホン装置に関する。
【背景技術】
【０００２】
従来、このようなインターホン装置としては、室外玄関に配置され、例えば訪問者による呼出ボタンのボタン操作に応じて呼出信号を出力する玄関子機と、室内に配置され、前記玄関子機からの呼出信号に応じて着信を検出し、この着信に対して応答可能にした室内親機とを有するものが広く知られている(例えば特許文献１及び特許文献２参照)。
【０００３】
特許文献１によれば、二世帯インターホン装置として、１台の集合玄関子機と、世帯毎の室内親機とを有し、例えば一方の室内親機側で留守機能を設定すると、集合玄関子機から一方の室内親機に対して着信があったとしても、この着信を他方の室内親機に転送するようにしたので、一方の室内親機側で予め留守機能を設定しておくことで、一方の室内親機のユーザが不在中であっても、一方の室内親機側ユーザの訪問者の来訪を他方の室内親機側ユーザに報知することができる。
【０００４】
また、特許文献２によれば、玄関子機と、室内親機とを有し、室内親機は、転送機能を設定すると、玄関子機から着信があったとしても、この着信を予め設定した通信端末に自動転送するようにしたので、室内親機側で予め転送機能を設定しておくことで、不在中であったとしても、訪問者の来訪を転送先の通信端末に報知することができる。
【特許文献１】特開平１１−１０３３５４号公報（要約書及び図1参照）
【特許文献２】特開２００１−７７９２７号公報（要約書及び図1参照）
【発明の開示】
【発明が解決しようとする課題】
【０００５】
しかしながら、上記特許文献１によれば、一方の室内親機側で留守機能を設定すると、集合玄関子機から一方の室内親機に対して着信があったとしても、この着信を他方の室内親機に転送するようにしたが、室内親機のユーザは、留守機能の設定操作を実行しなければ、集合玄関子機からの着信を他方の室内親機に転送するような、玄関子機からの着信に対する不応答処理を実行することができない。
【０００６】
また、上記特許文献２によれば、室内親機側で転送機能を設定すると、玄関子機から室内親機に着信があったとしても、この着信を予め設定した通信端末に自動転送するようにしたが、室内親機のユーザは、転送機能の設定操作を実行しなければ、玄関子機からの着信を転送先の通信端末に転送するような、玄関子機からの着信に対する不応答処理を実行することができない。
【０００７】
本発明は上記点に鑑みてなされたものであり、その目的とするところは、設定操作を要することなく、室内親機側で玄関子機の着信に対する不応答を自動的に判断し、玄関子機の着信に対する不応答処理を実行することができるインターホン装置を提供することにある。
【課題を解決するための手段】
【０００８】
上記目的を達成するために本発明のインターホン装置は、呼出ボタンのボタン操作に応じて呼出信号を出力する玄関子機と、前記呼出信号に応じて着信を検出する着信検出手段及び、前記着信検出手段にて検出した着信に対する応答を検出する応答検出手段を備えた室内親機とを有するインターホン装置であって、前記室内親機は、前記応答検出手段の検出結果に基づき、前記着信に対して不応答であるか否かを判定する不応答判定手段と、前記不応答判定手段にて前記着信に対して不応答であると判定されると、不応答処理を実行する不応答処理手段とを有するようにした。
【発明の効果】
【０００９】
上記のように構成された本発明のインターホン装置によれば、前記室内親機側で、前記応答検出手段の検出結果に基づき、前記着信に対して応答がない、すなわち不応答であるか否かを自動的に判定し、前記着信に対して不応答であると判定されると、不応答処理を実行するようにしたので、室内親機側では、留守機能や転送機能等の設定操作を行わなくても、玄関子機からの着信に対する不応答を自動的に判断して、例えば玄関子機からの着信を他の室内親機に転送するような不応答処理を自動的に実行することができる。
【発明を実施するための最良の形態】
【００１０】
本願請求項１記載の発明は、呼出ボタンのボタン操作に応じて呼出信号を出力する玄関子機と、前記呼出信号に応じて着信を検出する着信検出手段及び、前記着信検出手段にて検出した着信に対する応答を検出する応答検出手段を備えた室内親機とを有するインターホン装置であって、前記室内親機は、前記応答検出手段の検出結果に基づき、前記着信に対して不応答であるか否かを判定する不応答判定手段と、前記不応答判定手段にて前記着信に対して不応答であると判定されると、不応答処理を実行する不応答処理手段とを有するようにした。
【００１１】
従って、本願請求項１記載の発明によれば、前記室内親機側で、前記応答検出手段の検出結果に基づき、前記着信に対して不応答であるか否かを判定し、前記着信に対して不応答であると判定されると、不応答処理を実行するようにしたので、室内親機側では、留守機能や転送機能等の設定操作を行わなくても、玄関子機からの着信に対する不応答を自動的に判断して、例えば玄関子機からの着信を他の室内親機に転送するような不応答処理を自動的に実行することができる。
【００１２】
本願請求項２記載の発明は、本願請求項１記載のインターホン装置の構成に加えて、前記着信検出手段にて前記着信を検出すると、着信経過時間の計時動作を開始する計時手段を有し、前記不応答判定手段は、前記計時手段にて計時動作中の前記着信経過時間が所定時間を超えて、前記着信検出手段にて前記着信を再度検出すると、前記着信に対して不応答であると判定するようにした。
【００１３】
従って、本願請求項２記載の発明によれば、本願請求項１記載の発明の効果に加えて、着信検出タイミングで計時動作を開始した着信経過時間が所定時間を超えて、前記着信を再度検出すると、前記着信に対して不応答であると判定するようにしたので、最初の着信から着信経過時間の監視結果及び着信の再度検出結果に基づき、前記着信に対する不応答を自動的に判定することができる。
【００１４】
本願請求項３記載の発明は、本願請求項１記載のインターホン装置の構成に加えて、前記玄関子機は、前記玄関前の訪問者を感知する訪問者感知手段と、前記訪問者感知手段にて前記訪問者を感知したことを示す感知信号を前記室内親機に伝送する感知信号伝送手段とを有し、前記室内親機は、前記感知信号伝送手段から受信した感知信号の有無に基づき、現在の前記訪問者の有無を更新記憶する訪問者有無記憶手段を有し、前記不応答判定手段は、前記訪問者有無記憶手段にて前記訪問者の有りの状態で、前記着信検出手段にて前記着信を再度検出すると、前記着信に対して不応答であると判定するようにした。
【００１５】
従って、本願請求項３記載の発明によれば、本願請求項１記載の発明の効果に加えて、前記訪問者有無記憶手段にて前記訪問者が有りの状態で前記着信検出手段にて前記着信を再度検出すると、前記着信に対して不応答であると判定するようにしたので、前記訪問者有無記憶手段の記憶内容及び着信の再度検出結果に基づき、前記着信に対する不応答を自動的に判定することができる。
【００１６】
本願請求項４記載の発明は、本願請求項３記載の構成に加えて、前記玄関子機は、前記玄関前の状態を撮像して映像信号を出力する撮像手段と、前記撮像手段にて出力された映像信号を変調して、この変調信号の変調キャリアの一部を前記呼出信号又は前記感知信号に応じて出力停止制御すると共に、この変調信号を前記室内親機に伝送する信号重畳手段とを有し、前記室内親機は、前記感知信号又は前記呼出信号毎に所定時間における前記変調キャリア信号の出力停止回数を予め記憶した出力停止回数記憶手段と、前記玄関子機から前記変調信号を受信すると、所定時間における前記変調キャリア信号の出力停止回数を計測し、この計測結果と前記出力停止回数記憶手段に記憶された出力停止回数とを比較し、この比較結果に基づき、前記呼出信号又は前記感知信号の有無を判別する信号判定手段とを有するようにした。
【００１７】
従って、本願請求項４記載の発明によれば、本願請求項３記載の発明の効果に加えて、前記玄関子機側で呼出信号又は感知信号に応じて映像信号を変調する変調キャリア信号の一部を出力停止制御し、この変調された映像信号を室内親機に伝送すると共に、室内親機側で玄関子機から変調信号を受信すると、所定時間における変調キャリア信号の出力停止回数を計測し、この計測結果と前記出力停止回数記憶手段に記憶中の出力停止回数とを比較し、この比較結果に基づき、呼出信号又は感知信号の有無を判別するようにしたので、玄関子機で、変調キャリア信号の出力停止回数を呼出信号及び感知信号で異ならせることで、室内親機では、呼出信号及び感知信号の有無を認識することができる。
【００１８】
本願請求項５記載の発明は、本願請求項１，２，３又は４記載の構成に加えて、前記室内親機は、室内親機以外の他の室内親機と接続する室内親機接続インタフェースを有し、前記不応答処理手段は、前記不応答判定手段にて前記着信に対する不応答であると判定されると、前記室内親機接続インタフェースを通じて前記他の室内親機に対して前記着信を転送する前記不応答処理を実行するようにした。
【００１９】
従って、本願請求項５記載の発明によれば、本願請求項１，２、３又は４記載の効果に加えて、前記不応答判定手段にて前記着信に対する不応答であると判定されると、前記室内親機接続インタフェースを通じて前記他の室内親機、例えば他世帯の室内親機に対して前記着信を転送するようにしたので、例えば室内親機側ユーザが不在中でも、この室内親機側ユーザの訪問者の来訪を他世帯の室内親機側ユーザに報知することができる。
【００２０】
本願請求項６記載の発明は、本願請求項５記載の構成に加えて、前記室内親機は、この室内親機以外の他の室内親機に無線収容接続する無線室内子機を識別する子機ＩＤが付与され、この子機ＩＤを使用して前記他の室内親機と通信するようにした。
【００２１】
従って、本願請求項６記載の発明によれば、本願請求項５記載の発明の効果に加えて、前記室内親機を他の室内親機の無線室内子機にし、前記室内親機及び他の室内親機間の無線通信を確立するようにしたので、例えば室内親機側ユーザが不在中でも、この室内親機側ユーザの訪問者の来訪を他世帯の室内親機側ユーザに無線報知することができる。
【００２２】
本願請求項７記載の発明は、本願請求項１，２，３又は４記載の構成に加えて、前記室内親機に収容接続される複数の室内子機を有し、前記不応答処理手段は、前記不応答判定手段にて前記着信に対する不応答であると判定されると、この室内親機に収容接続する全部の室内子機に対して前記着信を転送する前記不応答処理を実行するようにした。
【００２３】
従って、本願請求項７記載の発明によれば、本願請求項１，２，３又は４記載の効果に加えて、前記室内親機に収容接続される複数の室内子機を有し、前記不応答判定手段にて前記着信に対する不応答であると判定されると、この室内親機に収容接続する全ての室内子機に対して前記着信を転送するようにしたので、例えば室内親機の設置箇所にユーザが居なくても、室内子機を使用してユーザに対して訪問者の来訪を報知することができる。
【００２４】
本願請求項８記載の発明は、本願請求項１，２，３又は４記載の構成に加えて、前記室内親機は、電話機と接続する電話機インタフェースを有し、前記不応答処理手段は、前記不応答判定手段にて前記着信に対する不応答であると判定されると、前記電話機インタフェース及び電話機を通じて所定電話番号の電話機に対して前記着信を転送する前記不応答処理を実行するようにした。
【００２５】
従って、本願請求項８記載の発明によれば、本願請求項１，２，３又は４記載の効果に加えて、前記不応答判定手段にて前記着信に対する不応答であると判定されると、前記電話機インタフェース及び電話機を通じて所定電話番号の電話機、例えば室内親機側ユーザの所有する携帯電話機やユーザが指定した外出先電話機に対して前記着信を転送するようにしたので、例えば室内親機側ユーザは、不在中でも、例えば外出先で来訪した訪問者と通話することができる。
【００２６】
本願請求項９記載の発明は、本願請求項１，２，３又は４記載の構成に加えて、前記室内親機は、留守番電話機と接続する留守番電話機インタフェースを有し、前記不応答処理手段は、前記不応答判定手段にて前記着信に対する不応答であると判定されると、前記留守番電話機インタフェースを通じて前記留守番電話機に対して前記着信を転送すると共に、前記留守番電話機側の着信応答に応じて前記玄関子機の通話音声を留守番電話機に録音させる前記不応答処理を実行するようにした。
【００２７】
従って、本願請求項９記載の発明によれば、本願請求項１，２，３又は４記載の発明の効果に加えて、前記不応答判定手段にて前記着信に対する不応答であると判定されると、前記留守番電話機インタフェースを通じて前記留守番電話機に対して前記着信を転送すると共に、前記留守番電話機側の着信応答に応じて前記玄関子機の通話音声、例えば伝言を同留守番電話機に録音させるようにしたので、室内親機側ユーザは、留守番電話機の録音内容を再生することで、訪問者の来訪を認識することができる。
【００２８】
本願請求項１０記載の発明は、本願請求項９記載の構成に加えて、前記留守番電話機インタフェースは、前記玄関子機に対する前記留守番電話機の着信応答を検出すると、前記留守番電話機からの所定メッセージを受信し、この所定メッセージを前記玄関子機に伝送するようにした。
【００２９】
従って、本願請求項１０記載の発明によれば、本願請求項９記載の効果に加えて、前記玄関子機に対する前記留守番電話機の着信応答を検出すると、前記留守番電話機から、例えば「ただいま手が離せません。ご用件のある方はピーッという発信音の後にメッセージをどうぞ」等の所定メッセージを受信し、この所定メッセージを前記玄関子機に伝送するようにしたので、玄関子機側の訪問者は、所定メッセージにしたがって伝言の録音入力をスムーズに行うことができる。
【００３０】
以下、図面に基づいて本発明のインターホン装置に関わる実施の形態を示す二世帯インターホンシステムについて説明する。
【００３１】
(実施の形態１)
図１は第１の実施の形態を示す二世帯インターホンシステム内部の概略構成を示すブロック図である。
【００３２】
図１に示す二世帯インターホンシステム１は、例えば二世帯住宅の１Ｆ側を親宅２Ａ、２Ｆ側を息子宅２Ｂとし、親宅２Ａには、親宅側玄関室外に配置された親宅玄関子機３Ａと、親宅室内に配置され、接続ライン４を通じて親宅玄関子機３Ａと接続する親宅室内親機５Ａと、同親宅室内親機５Ａに無線収容接続する親宅室内子機６Ａと、電話回線７に接続する親宅電話機８Ａとを有し、息子宅２Ｂには、息子宅側玄関室外に配置された息子宅玄関子機３Ｂと、息子宅室内に配置され、接続ライン４を通じて息子宅玄関子機３Ｂと接続する息子宅室内親機５Ｂと、同息子宅室内親機５Ｂに無線収容接続する息子宅室内子機６Ｂと、電話回線７に接続する息子宅電話機８Ｂとを有している。尚、親宅玄関子機３Ａ（息子宅玄関子機３Ｂ）は、訪問者のボタン操作に応じて、親宅室内親機５Ａ（息子宅室内親機５Ｂ）に訪問者の来訪を報知する呼出ボタン１１を備えているものとする。
【００３３】
まず、この二世帯インターホンシステム１の発明ポイントとするところは、親宅室内親機５Ａが留守機能や転送機能等の設定操作を行わなくても、親宅玄関子機３Ａ側で訪問者の呼出ボタン１１のボタン操作に応じた着信に対して親宅室内親機５Ａが応答しない、すなわち親宅室内親機５Ａの不応答であるか否かを自動的に判定し、同着信に対する不応答であると判定されると、親宅室内親機５Ａが息子宅室内親機５Ｂに対して親宅玄関子機３Ａからの着信を自動的に転送する点にある。
【００３４】
図２は同親宅玄関子機３Ａ内部の概略構成を示すブロック図である。尚、説明の便宜上、息子宅玄関子機３Ｂの内部構成は、親宅玄関子機３Ａの内部構成とほぼ同一であることから、同一符号を付すことで、その重複する構成及び動作の説明については省略する。
【００３５】
図２に示す親宅玄関子機３Ａは、訪問者側で来訪を親宅室内親機５Ａに報知するためにボタン操作に応じて呼出信号を出力する呼出ボタン１１と、レンズ部１２を通じて訪問者を撮像して映像信号を出力するＣＣＤカメラ１３と、玄関室外に対して音響出力する玄関側スピーカ１４と、玄関室外の音声を収音する玄関側マイクロホン１５と、玄関側スピーカ１４にて音響出力する音声信号を増幅する玄関側音源アンプ１６と、ＣＣＤカメラ１３にて撮像した映像信号に画像処理を施す玄関側画像処理部１７と、玄関側スピーカ１４及び玄関側マイクロホン１５に関わる音声信号、呼出ボタン１１に関わる呼出信号及び、玄関側画像処理部１７にて画像処理を施した映像信号等の各種信号を重畳する信号重畳部１８と、接続ライン４を通じて親宅室内親機５Ａとの接続インタフェースを司る親子間インタフェース１９と、親宅玄関子機３Ａ全体を制御する子機側制御部２０と、呼出ボタン１１、玄関側音源アンプ１６、玄関側画像処理部１７、信号重畳部１８、親子間インタフェース１９及び子機側制御部２０間相互にデータ通信を行う子機側データバス２１とを有している。
【００３６】
ＣＣＤカメラ１３は、呼出ボタン１１のボタン操作に応じて親宅室内親機５Ａが、呼出信号を検出すると、被写体、例えば訪問者の撮像動作を開始するものである。
【００３７】
信号重畳部１８は、呼出信号に応じて映像信号の変調を制御すると共に、この変調された変調信号と音声信号とを重畳した重畳信号を、親子間インタフェース１９及び接続ライン４を通じて親宅室内親機５Ａに伝送すると共に、接続ライン４及び親子間インタフェース１９を通じて、親宅室内親機５Ａからの音声信号を受信し、この音声信号を玄関側音源アンプ１６に供給するものである。
【００３８】
尚、息子宅玄関子機３Ｂの親子間インタフェース１９は、接続ライン４を通じて息子宅室内親機５Ｂとの接続インタフェースを司るものである。
【００３９】
図３は親宅室内親機５Ａ内部の概略構成を示すブロック図である。尚、説明の便宜上、息子宅室内親機５Ｂの内部構成は同親宅室内親機５Ａの内部構成とほぼ同一であることから、同一符号を付すことで、その重複する構成及び動作の説明については省略する。
【００４０】
図３に示す親宅室内親機５Ａは、無線アンテナ３１を通じて無線収容接続する親宅室内子機６Ａと無線通信する無線通信部３２と、親宅室内子機６の子機ＩＤ等や各種コマンドを管理する無線コマンド部３３と、接続ライン４を通じて親宅玄関子機３Ａとの通信インタフェースを司るドアホンインタフェース３４とを有している。
【００４１】
さらに、親宅室内親機５Ａは、ドアホンインタフェース３４を通じて親宅玄関子機３Ａからの重畳信号を受信し、この重畳信号から音声信号、変調キャリア停止の検知及び映像信号等の各種信号を抽出する重畳信号処理部３５と、この重畳信号処理部３５にて抽出した映像信号に対して画像処理を施す室内側画像処理部３６と、この室内側画像処理部３６にて画像処理を施した画像データを一時記憶する画像メモリ３７と、この画像メモリ３７に一時記憶した画像データにモニタ表示処理を施すモニタ表示処理部３８と、このモニタ表示処理を施した画像データをモニタ出力するモニタ表示部３９と、録画操作に応じて画像メモリ３７に一時記憶した画像データを録画する画像録画部５３と、重畳信号処理部３５にて抽出した音声信号を室内に音響出力する室内側スピーカ４０と、室内側スピーカ４０で音響出力する音声信号を増幅する室内側音源アンプ４１とを有している。
【００４２】
さらに、親宅室内親機５Ａは、各種タイマの計時動作を司るタイマ部４２と、各種タイマのタイムアップを監視判定するタイマ判定部４３と、重畳信号処理部３５にて検知した変調キャリア停止を示す検知情報及び、この検知情報の計測開始を示す計測開始情報に基づき、所定時間内の変調キャリア停止回数を所定回数と比較し、この比較結果に基づき、呼出信号を検出することで、親宅玄関子機３Ａからの着信を検出する着信検出部４４と、同親宅玄関子機３Ａからの着信に応答する通話ボタン４５と、この通話ボタン４５のボタン操作に応じて同着信応答を検出する応答検出部４６と、この応答検出部４６にて着信応答を検出すると、親宅玄関子機３Ａとの通話を実行するために、室内の音声を収音する室内側マイクロホン４７と、親宅玄関子機３Ａとの通話を切断する解除ボタン４８と、この親宅室内親機５Ａに電力を供給する電源部４９と、この親宅室内親機５Ａ全体を制御する親機側制御部５０と、この親宅室内親機５Ａ内のデータ伝送路である親機側データバス５１と、後述する仮想室内子機転送部５２とを有している。
【００４３】
無線通信部３２は、無線コマンド部３３で管理した子機ＩＤに基づき、同親宅室内親機５Ａが無線収容接続する親宅室内子機６Ａと無線通信するものである。
【００４４】
重畳信号処理部３５は、ドアホンインタフェース３４を通じて親宅玄関子機３Ａからの重畳信号を受信すると、この重畳信号から変調キャリアの停止を検知し、この検知情報及び同検知情報の計測開始を示す計測開始情報を着信検出部４４に出力すると共に、同重畳信号から映像信号及び音声信号等を抽出すると共に、親宅玄関子機３Ａ側の訪問者との通話中に室内側マイクロホン４７にて収音した通話音声を、ドアホンインタフェース３４及び接続ライン４を通じて親宅玄関子機３Ａに伝送するものである。
【００４５】
親機側制御部５０は、親宅玄関子機３Ａからの着信中に通話ボタン４５のボタン操作に応じて、応答検出部４６にて通話ボタン４５の押下を検出すると、室内側スピーカ４０及び室内側マイクロホン４７を通じて親宅室内親機５Ａ及び親宅玄関子機３Ａ間の通話を開始することになる。
【００４６】
また、タイマ部４２は、親宅玄関子機３Ａの呼出ボタン１１のボタン操作間隔を監視するために、親宅玄関子機３Ａからの着信を検出したタイミングで１５秒間の計時動作を開始する転送タイマ４２Ａと、親宅玄関子機３Ａの呼出ボタン１１のボタン操作に対する着信応答を監視するために、親宅玄関子機３Ａからの着信を検出したタイミングで着信応答待ち時間(３０秒間)の計時動作を開始する呼出タイマ４２Ｂと、親宅玄関子機３Ａ側で呼出ボタン１１のボタン操作をした訪問者が同一人物であるか否かを監視するために、親宅玄関子機３Ａからの着信を検出したタイミングで２５秒間の計時動作を開始する判定タイマ４２Ｃとを有し、タイマ判定部４３は、これら転送タイマ４２Ａ、呼出タイマ４２Ｂ及び判定タイマ４２Ｃ毎にタイムアップしたか否かを監視判定するものである。
【００４７】
親機側制御部５０は、図４に示すように、着信検出部４４にて親宅玄関子機３Ａからの着信を検出すると、タイマ部４２の転送タイマ４２Ａ、呼出タイマ４２Ｂ及び判定タイマ４２Ｃの計時動作を開始し、親宅玄関子機３Ａの着信を検出して１５秒から２５秒までの同一訪問者判定期間内に呼出ボタン１１のボタン操作による着信を再度検出すると、同一訪問者による再度の呼出ボタン１１のボタン操作、すなわち同一訪問者からの再度着信であると判断し、同着信に対して親宅ユーザが不応答であると判断するものである。尚、親宅玄関子機３Ａの同一訪問者の着信に対する不応答は、親宅玄関子機３Ａの着信に対して親宅ユーザ側の応答操作がなかったことを前提としている。
【００４８】
また、親機側制御部５０は、親宅玄関子機３Ａからの着信中に不応答であると判定されると、仮想室内子機転送部５２、無線通信部３２及び無線アンテナ３１を通じて他世帯の息子宅室内親機５Ｂに対して親宅玄関子機３Ａからの着信（呼出信号）を転送するものである。
【００４９】
尚、この際、親宅室内親機５Ａは、息子宅室内親機５Ｂの無線収容接続する息子宅室内子機６Ｂの如く、同息子宅室内親機５Ｂに対して無線収容接続される仮想室内子機とみなされ、親宅玄関子機３Ａからの着信(呼出信号)を、同親宅室内親機５Ａを通じて息子宅室内親機５Ｂに転送するものである。
【００５０】
尚、請求項記載の玄関子機は親宅玄関子機３Ａ(息子宅玄関子機３Ｂ)、着信検出手段、出力停止回数記憶手段及び信号判別手段は着信検出部４４、応答検出手段は応答検出部４６、室内親機は親宅室内親機５Ａ(息子宅室内親機５Ｂ)、不応答判定手段及び不応答処理手段は親機側制御部５０、計時手段はタイマ部４２、室内親機接続インタフェースは仮想室内子機転送部５２、室内子機は親宅室内子機６Ａ（息子宅室内子機６Ｂ）に相当するものである。
【００５１】
次に第１の実施の形態を示す二世帯インターホンシステム１の動作について説明する。図５は第１の実施の形態に関わる親宅室内親機５Ａの不応答検出処理に関わる親機側制御部５０の処理動作を示すフロー図である。
【００５２】
図５に示す不応答検出処理は、親宅玄関子機３Ａからの同一訪問者の着信に対する親宅室内親機５Ａ側の不応答を自動的に判定検出する処理である。
【００５３】
図５において親宅室内親機５Ａの親機側制御部５０は、親宅玄関子機３Ａの呼出ボタン１１のボタン操作を検出したか否か、すなわち着信検出部４４を通じて親宅玄関子機３Ａからの着信を検出したか否かを判定する(ステップＳ１１)。尚、着信検出部４４は、重畳信号処理部３５にて親宅玄関子機３Ａの重畳信号から変調キャリア停止を検知した検知情報及び、検知情報の計測開始を示す計測開始情報を受信し、これら検知情報及び計測開始情報に基づき、変調キャリア停止回数と所定回数と比較し、この比較結果に応じて呼出信号を検出することで、親宅玄関子機３Ａからの着信を認知、検出するものである。
【００５４】
親機側制御部５０は、親宅玄関子機３Ａの呼出ボタン１１のボタン操作を検出した、すなわち親宅玄関子機３Ａからの着信を検出したのであれば、タイマ部４２を通じて転送タイマ４２Ａ及び判定タイマ４２Ｃの計時動作を開始する(ステップＳ１２)。尚、転送タイマ４２Ａのタイムアップ時間は１５秒間、判定タイマ４２Ｃのタイムアップ時間は２５秒間に相当するものである。
【００５５】
さらに、親機側制御部５０は、タイマ部４２を通じて呼出タイマ４２Ｂの計時動作を開始する(ステップＳ１３)。尚、呼出タイマ４２Ｂのタイムアップ時間は３０秒間に相当するものである。
【００５６】
親機側制御部５０は、タイマ判定部４３を通じて転送タイマ４２Ａがタイムアップしたか否かを判定する(ステップＳ１４)。
【００５７】
親機側制御部５０は、タイマ判定部４３を通じて転送タイマ４２Ａがタイムアップしたのでなければ、親宅玄関子機３Ａ側での訪問者の来訪を親宅ユーザに報知すべく、室内側音源アンプ４１を通じて親宅室内親機５Ａの室内側スピーカ４０から呼出音を音響出力すると共に、無線通信部３２及び無線アンテナ３１を通じて同親宅室内親機５Ａで収容接続する親宅室内子機６Ａに対して呼出信号を配信する(ステップＳ１５)。尚、この際、親宅室内親機５Ａは、複数の親宅室内子機６Ａの内、特定の親宅室内子機６Ａに対してのみ、呼出信号を配信するものである。
【００５８】
親機側制御部５０は、親宅室内親機５Ａの通話ボタン４５のボタン操作又は親宅室内子機６Ａの通話要求信号を検出したか否か、すなわち応答検出部４６を通じて親宅玄関子機３Ａに対する着信応答を検出したか否かを判定する(ステップＳ１６)。尚、応答検出部４６は、親宅玄関子機３Ａからの着信中に通話ボタン４５のボタン操作に応じて着信応答を検出すると共に、親宅玄関子機３Ａからの着信中に親宅室内子機６Ａからの着信応答に関わる通話要求信号に応じて着信応答を検出するものである。
【００５９】
親機側制御部５０は、ステップＳ１６にて親宅室内親機５Ａの通話ボタン４５のボタン操作又は親宅室内子機６Ａの通話要求信号を検出したのでなければ、すなわち応答検出部４６を通じて親宅玄関子機３Ａに対する着信応答を検出したのでなければ、親宅玄関子機３Ａの呼出ボタン１１のボタン操作を再度検出したか否か、すなわち着信検出部４４を通じて親宅玄関子機３Ａからの着信を再度検出したか否かを判定する(ステップＳ１７)。
【００６０】
親機側制御部５０は、ステップＳ１７にて親宅玄関子機３Ａの呼出ボタン１１のボタン操作を再度検出した、すなわち着信検出部４４を通じて親宅玄関子機３Ａからの着信を再度検出したのであれば、呼出タイマ４２Ｂの計時動作を再度開始すべく、ステップＳ１３に移行する。
【００６１】
そして、親機側制御部５０は、呼出タイマ４２Ｂの計時動作を再度開始して、ステップＳ１４にて転送タイマ４２Ａがタイムアップしたか否かを判定し、この転送タイマ４２Ａがタイムアップしたのであれば、タイマ判定部４３を通じて判定タイマ４２Ｃがタイムアップしたか否かを判定する(ステップＳ１８)。
【００６２】
親機側制御部５０は、タイマ判定部４３を通じて判定タイマ４２Ｃがタイムアップしたのでなければ、ステップＳ１７にて親宅玄関子機３Ａの呼出ボタン１１のボタン操作を、同一訪問者判定期間(直近前回の呼出ボタン１１のボタン操作後、１５秒から２５秒までの期間)内に再度検出した、すなわち同一訪問者判定期間内に再度の着信を検出したことで、親宅玄関子機３Ａからの同一訪問者の着信に対して親宅室内親機５Ａが不応答であると自動的に判断することになる。
【００６３】
そして、親機側制御部５０は、親宅玄関子機３Ａからの同一訪問者の着信に対して不応答であると判断すると、転送タイマ４２Ａ及び判定タイマ４２Ｃの計時動作をリセットし(ステップＳ１９)、仮想室内子機転送部５２を通じて自己の親宅室内親機５Ａを息子宅室内親機５Ｂの仮想室内子機とし、無線通信部３２及び無線アンテナ３１を通じて同息子宅室内親機５Ｂに対して親宅玄関子機３Ａからの呼出信号(着信)を無線転送し(ステップＳ２０)、その結果、親宅玄関子機３Ａからの着信を、親宅室内親機５Ａを通じて息子宅室内親機５Ｂに転送して、息子宅室内親機５Ｂのユーザに親宅への訪問者の来訪を報知することで、この処理動作を終了する。
【００６４】
また、親機側制御部５０は、ステップＳ１８にて判定タイマ４２Ｂがタイムアップしたのであれば、ステップＳ１７にて再度検出した親宅玄関子機３Ａの呼出ボタン１１のボタン操作、すなわち再度検出した親宅玄関子機３Ａからの着信が同一訪問者判定期間内になかったものと判断し、再度、転送タイマ４２Ａ及び判定タイマ４２Ｃの計時動作を開始し(ステップＳ２１)、室内側音源アンプ４１を通じて親宅室内親機５Ａの室内側スピーカ４０から呼出音を音響出力すると共に、無線通信部３２及び無線アンテナ３１を通じて同親宅室内親機５Ａの収容接続する親宅室内子機６Ａに対して呼出信号を配信すべく、ステップＳ１５に移行する。
【００６５】
また、親機側制御部５０は、ステップＳ１６にて通話ボタン４５のボタン操作又は通話要求信号を検出した、すなわち応答検出部４６を通じて親宅玄関子機３Ａに対する着信応答を検出したのであれば、ドアホンインタフェース３４を通じて、親宅玄関子機３Ａとの通話路を形成し、呼出タイマ４２Ｂ、転送タイマ４２Ａ及び判定タイマ４２Ｃをリセットすることで(ステップＳ２２)、通話ボタン４５のボタン操作を検出した場合は親宅玄関子機３Ａ及び親宅室内親機５Ａ間、又は通話要求信号を検出した場合は親宅玄関子機３Ａ及び親宅室内子機６Ｂ間の通話を開始することになる。
【００６６】
さらに、親機側制御部５０は、親宅玄関子機３Ａとの通話中に親宅室内親機５Ａの解除ボタン４８のボタン操作、又は親宅室内子機６Ａから通話切断信号を検出したか否かを判定する(ステップＳ２３)。
【００６７】
親機側制御部５０は、親宅室内親機５Ａの解除ボタン４６のボタン操作又は親宅室内子機６Ａから通話切断信号を検出したのでなければ、親宅玄関子機３Ａとの通話を継続し、解除ボタン４８のボタン操作又は親宅室内親機６Ａから通話切断信号を検出したのであれば、親宅玄関子機３Ａとの通話路を切断することで(ステップＳ２４)、親宅玄関子機３Ａの呼出ボタン１１のボタン操作を監視すべく、ステップＳ１１に移行する。
【００６８】
また、親機側制御部５０は、ステップＳ１７にて親宅玄関子機３Ａの呼出ボタン１１のボタン操作、すなわち着信検出部４４を通じて親宅玄関子機３Ａからの着信を再度検出したのでなければ、呼出タイマ４２Ｂがタイムアップしたか否かを判定する(ステップＳ２５)。
【００６９】
親機側制御部５０は、ステップＳ２５にて呼出タイマ４２Ｂがタイムアップしたのであれば、呼出タイマ４２Ｂ、転送タイマ４２Ａ及び判定タイマ４２Ｃの計時動作をリセットして(ステップＳ２６)、親宅玄関子機３Ａの呼出ボタン１１のボタン操作を監視すべく、ステップＳ１１に移行する。
【００７０】
また、親機側制御部５０は、ステップＳ２５にて呼出タイマがタイムアップしたのでなければ、通話ボタン４５のボタン操作又は通話要求信号を検出したか否かを判定すべく、ステップＳ１６（Ｍ１）に移行する。
【００７１】
図５に示す不応答検出処理によれば、親宅玄関子機３Ａの呼出ボタン１１のボタン操作、すなわち親宅玄関子機３Ａからの着信を検出したタイミングでタイマ監視を開始すると共に、このタイマ監視中の同一訪問者判定期間内に親宅玄関子機３Ａから親宅室内親機５Ａに対して再度の着信を検出すると、親宅室内親機５Ａでは、親宅玄関子機３Ａからの同一訪問者の着信に対する不応答であると自動的に判断し、同親宅玄関子機３Ａからの着信を、親宅室内親機５Ａを通じて息子宅室内親機５Ｂに転送するようにしたので、親宅室内親機５Ａは、特別な留守機能や転送機能等の設定操作を要することなく、親宅玄関子機３Ａから同一訪問者の着信に対する不応答を自動的に判断し、この親宅玄関子機３Ａからの着信を息子宅室内親機５Ｂに自動的に転送することができる。
【００７２】
次に親宅玄関子機３Ａからの着信を自動転送された息子宅室内親機５Ｂ側の動作について説明する。図６は息子宅室内親機５Ｂ側の不応答着信転送受信処理に関わる親機側制御部５０の処理動作を示すフロー図である。
【００７３】
図６に示す不応答着信転送受信処理とは、例えば親宅室内親機５Ａから不応答で自動転送された親宅玄関子機３Ａの着信に対する息子宅室内親機５Ｂ側の受信処理である。
【００７４】
図６において息子宅室内親機５Ｂの親機側制御部５０は、無線アンテナ３１及び無線通信部３２を通じて仮想室内子機として親宅室内親機５Ａから親宅玄関子機３Ａの着信に対する呼出信号を受信したか否かを判定する(ステップＳ３１)。尚、着信検出部４４は、呼出信号に応じて親宅玄関子機３Ａからの着信を検出するものである。
【００７５】
親機側制御部５０は、仮想室内子機としての親宅室内親機５Ａから呼出信号を受信したのであれば、親宅玄関子機３Ａ側で訪問者の来訪を息子宅２Ｂに報知すべく、室内側音源アンプ４１を通じて同息子宅室内親機５Ｂの室内側スピーカ４０から呼出音を音響出力すると共に、無線通信部３２及び無線アンテナ３１を通じて同息子宅室内親機５Ｂの収容接続する息子宅室内子機６Ｂに対して呼出信号を配信し(ステップＳ３２)、タイマ部４２を通じて呼出タイマ４２Ｂの計時動作を開始する(ステップＳ３３)。
【００７６】
親機側制御部５０は、同息子宅室内親機５Ｂの通話ボタン４５のボタン操作、又は息子宅室内子機６Ｂの通話要求信号を検出したか否か、すなわち応答検出部４６を通じて親宅玄関子機３Ａに対する着信応答を検出したか否かを判定する(ステップＳ３４)。尚、応答検出部４６は、親宅玄関子機３Ａからの着信中に通話ボタン４５のボタン操作に応じて着信応答を検出すると共に、親宅玄関子機３Ａからの着信中に息子宅室内子機６Ｂからの着信応答要求に関わる通話要求信号に応じて着信応答を検出するものである。
【００７７】
親機側制御部５０は、ステップＳ３４にて通話ボタン４５のボタン操作又は通話要求信号を検出したのであれば、親宅室内親機５Ａを通じて親宅玄関子機３Ａとの通話路を形成し、ステップＳ３３にて計時動作を開始した呼出タイマ４２Ｂをリセットすることで(ステップＳ３５)、通話ボタン４５のボタン操作を検出した場合は親宅玄関子機３Ａ及び息子宅室内親機５Ｂ間、又は通話要求信号を検出した場合は親宅玄関子機３Ａ及び息子宅室内子機６Ｂ間の通話を開始することになる。
【００７８】
さらに、親機側制御部５０は、親宅玄関子機３Ａとの通話中に息子宅室内親機５Ｂの解除ボタン４８のボタン操作、又は息子宅室内子機６Ｂからの通話切断信号を検出したか否かを判定する(ステップＳ３６)。
【００７９】
親機側制御部５０は、息子宅室内親機５Ｂの解除ボタン４８のボタン操作又は息子宅室内子機６Ｂから通話切断信号を検出したのでなければ、親宅玄関子機３Ａとの通話を継続し、ステップＳ３６にて解除ボタン４８のボタン操作又は息子宅室内子機６Ｂから通話切断信号を検出したのであれば、親宅玄関子機３Ａとの通話路を切断することで(ステップＳ３７)、この処理動作を終了することになる。
【００８０】
また、親機側制御部５０は、ステップＳ３４にて通話ボタン４５のボタン操作又は通話要求信号を検出したのでなければ、ステップＳ３３にて計時動作を開始した呼出タイマ４２Ｂがタイムアップしたか否かを判定する(ステップＳ３８)。
【００８１】
親機側制御部５０は、ステップＳ３８にて呼出タイマ４２Ｂがタイムアップしたのでなければ、通話ボタン４５のボタン操作又は息子宅室内子機６Ｂからの通話要求信号を検出したか否かを監視すべく、ステップＳ３４に移行すると共に、ステップＳ３８にて呼出タイマ４２Ｂがタイムアップしたのであれば、呼出タイマ４２Ｂをリセットすることで(ステップＳ３９)、ステップＳ３１に移行する。
【００８２】
図６に示す不応答着信転送受信処理によれば、親宅室内親機５Ａにて自動転送された親宅玄関子機３Ａからの着信を息子宅室内親機５Ｂ側で受信すると、息子宅室内親機５Ｂの室内側スピーカ４０で呼出音を音響出力し、この着信中に息子宅室内親機５Ｂ側で通話ボタン４５のボタン操作を検出すると、息子宅室内親機５Ｂ及び親宅玄関子機３Ａ間の通話路を確立するようにしたので、息子宅ユーザは、息子宅室内親機５Ｂを使用して不在中の親宅ユーザに代わって親宅玄関子機３Ａ側の訪問者と話すことができる。
【００８３】
また、不応答着信転送受信処理によれば、親宅室内親機５Ａにて自動転送された親宅玄関子機３Ａからの着信を息子宅室内親機５Ｂ側で受信すると、息子宅室内親機５Ｂが息子宅室内子機６Ｂに対して呼出信号を配信し、この着信中に息子宅室内子機６Ｂからの通話要求信号を検出すると、息子宅室内子機６Ｂ及び親宅玄関子機３Ａ間の通話路を確立するようにしたので、息子宅ユーザは、息子宅室内子機６Ｂを使用して不在中の親宅ユーザに代わって親宅玄関子機３Ａ側の訪問者と話すことができる。
【００８４】
第１の実施の形態によれば、親宅玄関子機３Ａの呼出ボタン１１のボタン操作、すなわち親宅玄関子機３Ａからの着信を検出したタイミングでタイマ監視を開始すると共に、このタイマ監視中の同一訪問者判定期間内に親宅玄関子機３Ａから親宅室内親機５Ａに対して再度の着信を検出すると、親宅玄関子機３Ａから同一訪問者の着信に対する親宅室内親機５Ａの不応答であると自動的に判断し、同親宅玄関子機３Ａからの着信を、親宅室内親機５Ａを通じて息子宅室内親機５Ｂに自動転送するようにしたので、親宅室内親機５Ａは、特別な留守機能や転送機能等の設定操作を要することなく、親宅玄関子機３Ａから同一訪問者の着信に対する不応答を自動的に判断し、この親宅玄関子機３Ａからの着信を息子宅室内親機５Ｂに自動的に転送することができる。
【００８５】
さらに、第１の実施の形態によれば、親宅室内親機５Ａにて自動転送された親宅玄関子機３Ａからの着信を息子宅室内親機５Ｂ側で受信すると、息子宅室内親機５Ｂの室内側スピーカ４０で呼出音を音響出力し、この着信中に息子宅室内親機５Ｂ側で通話ボタン４５のボタン操作を検出すると、息子宅室内親機５Ｂ及び親宅玄関子機３Ａ間の通話路を確立するようにしたので、息子宅ユーザは、息子宅室内親機５Ｂを使用して不在中の親宅ユーザに代わって親宅玄関子機３Ａ側の訪問者と話すことができる。
【００８６】
第１の実施の形態によれば、親宅室内親機５Ａにて自動転送された親宅玄関子機３Ａからの着信を息子宅室内親機５Ｂ側で受信すると、息子宅室内親機５Ｂが息子宅室内子機６Ｂに対して呼出信号を配信し、この着信中に息子宅室内子機６Ｂからの通話要求信号を検出すると、息子宅室内子機６Ｂ及び親宅玄関子機３Ａ間の通話路を確立するようにしたので、息子宅ユーザは、息子宅室内子機６Ｂを使用して不在中の親宅ユーザに代わって親宅玄関子機３Ａ側の訪問者と話すことができる。
【００８７】
尚、上記第１の実施の形態においては、親宅玄関子機３Ａの呼出ボタン１１のボタン操作、すなわち親宅玄関子機３Ａの着信を検出したタイミングでタイマ監視を開始し、同タイマ監視中の同一訪問者判定期間内に親宅玄関子機３Ａから親宅室内親機５Ａに対して再度の着信を検出すると、親宅玄関子機３Ａから同一訪問者の着信に対する親宅室内親機５Ａの不応答であると自動的に判断するようにしたが、タイマ監視で使用する転送タイマ４２Ａ、呼出タイマ４２Ｂ及び判定タイマ４２Ｃの内、判定タイマ４２Ｃを使用しなくても、親宅玄関子機３Ａから同一訪問者の着信に対する親宅室内親機５Ａの不応答を判断できるシステム構成を、第２の実施の形態として説明する。
【００８８】
（実施の形態２）
図７は第２の実施の形態を示す二世帯インターホンシステム内部の概略構成を示すブロック図である。尚、第１の実施の形態を示す二世帯インターホンシステム１と同一の構成については同一符号を付すことで、その重複する構成及び動作の説明については省略する。
【００８９】
図７に示す二世帯インターホンシステム１Ａと図１に示すインターホンシステム１とが異なるところは、親宅玄関子機３Ａ（息子宅玄関子機３Ｂ）に、訪問者の来訪を感知する対人センサ６１を備えた点にある。
【００９０】
図８は第２の実施の形態に関わる親宅玄関子機３Ａ（息子宅玄関子機３Ｂ）内部の概略構成を示すブロック図、図９は第２の実施の形態に関わる親宅室内親機５Ａ（息子宅室内親機５Ｂ）内部の概略構成を示すブロック図である。
【００９１】
図８に示す親宅玄関子機３Ａは、対人センサ６１と、この対人センサ６１を通じて玄関室外の訪問者の来訪を感知すると、対人センサ信号を出力する対人センサ信号処理部６２とを有し、信号重畳部１８は、対人センサ信号処理部６２からの対人センサ信号及び、呼出ボタン１１に関わる呼出信号に応じて、映像信号の変調を制御すると共に、この変調された映像信号と玄関側マイクロホン１５に関わる音声信号とを重畳し、この重畳信号を、親子間インタフェース１９及び接続ライン４を通じて親宅室内親機５Ａに伝送するものである。
【００９２】
図９に示す親宅室内親機５Ａの重畳信号処理部３５は、接続ライン４及びドアホンインタフェース３４を通じて親宅玄関子機３Ａから重畳信号を受信すると、重畳信号から音声信号、映像信号及び対人センサ信号を検知、抽出するものである。
【００９３】
また、親宅室内親機５Ａは、重畳信号処理部３５にて対人センサ信号を検知して着信検出部４４にて対人センサ信号を抽出すると、この対人センサ信号に応じて変化情報としてＯＮフラグを“１”に設定する対人センサ信号検出部６３を有している。尚、対人センサ信号検出部６３は、着信検出部４４にて対人センサ信号を抽出すると、ＯＮフラグを“１”に設定すると共に、着信検出部４４にて対人センサ信号を抽出しないと、ＯＮフラグを“０”に設定するものである。
【００９４】
親機側制御部５０は、ＯＮフラグが“１”の場合、親宅玄関子機３Ａ側に訪問者がいるものと判断し、ＯＮフラグが“０”の場合、親宅玄関子機３Ａ側に訪問者がいないものと判断するものである。
【００９５】
また、親宅室内親機５Ａのタイマ部４２は、転送タイマ４２Ａ及び呼出タイマ４２Ｂを有し、タイマ判定部４３は、転送タイマ４２Ａ及び呼出タイマ４２Ｂのタイムアップ判定動作を監視するものである。尚、図９に示す親宅室内親機５Ａのタイマ部４２では、判定タイマ４２Ｃを使用しないものとする。
【００９６】
図１０は第２の実施の形態に関わる親宅室内親機５Ａ側の不応答検出処理に関わるタイミングチャート図である。
【００９７】
親機側制御部５０は、親宅玄関子機３Ａ側の対人センサ６１で訪問者の来訪を感知すると、着信検出部４４を通じて重畳信号から対人センサ信号を抽出し、この対人センサ信号に応じてＯＮフラグを“１”に設定した状態である。
【００９８】
さらに親機側制御部５０は、着信検出部４４を通じて親宅玄関子機３Ａの呼出ボタン１１のボタン操作に応じた親宅玄関子機３Ａの着信を検出したタイミングで、転送タイマ４２Ａ及び呼出タイマ４２Ｂの計時動作を開始する。
【００９９】
親機側制御部５０は、ＯＮフラグが“１”の状態、すなわち対人センサ６１が訪問者を継続的に感知した状態で、親宅玄関子機３Ａの着信を検出して１５秒から３０秒までの同一訪問者判定期間内に呼出ボタン１１のボタン操作による着信を再度検出すると、同一訪問者による再度の呼出ボタン１１のボタン操作、すなわち同一訪問者からの再度着信であると判断し、同着信に対して親宅ユーザが不応答であると判断するものである。尚、親宅玄関子機３Ａの同一訪問者の着信に対する不応答は、親宅玄関子機３Ａの着信に対して親宅ユーザの応答操作がなかったことを前提としている。
【０１００】
また、親機側制御部５０は、親宅玄関子機３Ａからの着信中に不応答であると判定されると、仮想室内子機転送部５２、無線通信部３２及び無線アンテナ３１を通じて他世帯の息子宅室内親機５Ｂに対して親宅玄関子機３Ａからの着信（呼出信号)を転送するものである。
【０１０１】
尚、請求項記載の訪問者感知手段は対人センサ６１、感知信号伝送手段は対人センサ信号処理部６２及び信号重畳部１８、訪問者有無記憶手段は対人センサ信号検出部６３内のＯＮフラグに相当するものである。
【０１０２】
次に第２の実施の形態を示す二世帯インターホンシステム１Ａの動作について説明する。図１１は第２の実施の形態に関わる親宅室内親機５Ａの不応答検出処理に関わる親機側制御部５０の処理動作を示すフロー図である。
【０１０３】
図１１に示す不応答検出処理は、判定タイマ４２Ｃを使用することなく、親宅玄関子機３Ａの訪問者の来訪を感知する対人センサ信号を使用して、親宅玄関子機３Ａからの同一訪問者の着信に対する親宅室内親機５Ａ側の不応答を自動的に判定検出する処理である。
【０１０４】
図１１において親機側制御部５０は、親宅玄関子機３Ａの呼出ボタン１１のボタン操作を検出した、すなわち着信検出部４４を通じて親宅玄関子機３Ａからの着信を検出したか否かを判定する(ステップＳ４１)。
【０１０５】
親機側制御部５０は、親宅玄関子機３Ａの呼出ボタン１１のボタン操作を検出した、すなわち親宅玄関子機３Ａからの着信を検出したのであれば、親宅玄関子機３Ａ側で訪問者を感知した、すなわち対人センサ信号検出部６３を通じて親宅玄関子機３Ａで訪問者を感知したことを示す対人センサ信号を検出したか否かを判定する(ステップＳ４２)。
【０１０６】
親機側制御部５０は、親宅玄関子機３Ａ側で訪問者を感知した、すなわち対人センサ信号を検出したのであれば、タイマ部４２を通じて転送タイマ４２Ａのタイマ動作を開始する(ステップＳ４３)。尚、転送タイマ４２Ａのタイムアップ時間は１５秒間に相当するものである。
【０１０７】
さらに、親機側制御部５０は、タイマ部４２を通じて呼出タイマ４２Ｂのタイマ動作を開始する(ステップＳ４４)。尚、呼出タイマ４２Ｂのタイムアップ時間は３０秒間に相当するものである。
【０１０８】
親機側制御部５０は、タイマ判定部４３を通じて転送タイマ４２Ａがタイムアップしたか否かを判定する(ステップＳ４５)。
【０１０９】
親機側制御部５０は、タイマ判定部４３を通じて転送タイマ４２Ａがタイムアップしたのでなければ、親宅玄関子機３Ａ側で訪問者がいることを示すＯＮフラグを“１”にセットして(ステップＳ４６)、訪問者の来訪を親宅ユーザに報知すべく、室内側音源アンプ４１を通じて親宅室内親機５Ａの室内側スピーカ４０から呼出音を音響出力すると共に、無線通信部３２及び無線アンテナ３１を通じて同親宅室内親機５Ａの収容接続する親宅室内子機６Ａに対して呼出信号を配信する(ステップＳ４７)。尚、この際、親宅室内親機５Ａは、複数の親宅室内子機６Ａの内、特定の親宅室内子機６Ａに対してのみ、呼出信号を配信するものである。
【０１１０】
親機側制御部５０は、親宅室内親機５Ａの通話ボタン４５のボタン操作又は親宅室内子機６Ａの通話要求信号を検出したか否か、すなわち応答検出部４６を通じて親宅玄関子機３Ａに対する着信応答を検出したか否かを判定する(ステップＳ４８)。
【０１１１】
親機側制御部５０は、ステップＳ４８にて親宅室内親機５Ａの通話ボタン４５のボタン操作又は親宅室内子機６Ａの通話要求信号を検出したのでなければ、すなわち応答検出部４６を通じて親宅玄関子機３Ａに対する着信応答を検出したのでなければ、親宅玄関子機３Ａの呼出ボタン１１のボタン操作を再度検出したか否か、すなわち着信検出部４４を通じて親宅玄関子機３Ａからの着信を再度検出したか否かを判定する(ステップＳ４９)。
【０１１２】
親機側制御部５０は、ステップＳ４９にて親宅玄関子機３Ａの呼出ボタン１１のボタン操作を再度検出した、すなわち着信検出部４４を通じて親宅玄関子機３Ａからの着信を再度検出したのであれば、呼出タイマ４２Ｂの計時動作を再度開始すべく、ステップＳ４４に移行する。
【０１１３】
そして、親機側制御部５０は、呼出タイマ４２Ｂの計時動作を再度開始して、ステップＳ４５にて転送タイマ４２Ａがタイムアップしたか否かを判定し、同転送タイマ４２Ａがタイムアップしたのであれば、ＯＮフラグが“１”であるか否かを判定する(ステップＳ５０)。
【０１１４】
親機側制御部５０は、ＯＮフラグが“１”であれば、親宅玄関子機３Ａで訪問者が継続的に感知している状態であると判断し、ステップＳ４９にて親宅玄関子機３Ａの呼出ボタン１１のボタン操作を同一訪問者判定期間（直近前回の呼出ボタン１１のボタン操作後、１５秒から３０秒までの期間）内に再度検出した、すなわち同一訪問者判定期間内に再度の着信を検出したことで、親宅玄関子機３Ａからの同一訪問者の着信に対して親宅室内親機５Ａが不応答であると自動的に判断することになる。
【０１１５】
そして、親機側制御部５０は、親宅玄関子機３Ａからの同一訪問者の着信に対して不応答であると判断すると、転送タイマ４２Ａのタイマ動作をリセットし(ステップＳ５１)、仮想室内子機転送部５２を通じて自己の親宅室内親機５Ａを息子宅室内子機６Ｂの仮想室内子機とし、無線通信部３２及び無線アンテナ３１を通じて同息子宅室内親機５Ｂに対して親宅玄関子機３Ａの呼出信号(着信)を無線転送し(ステップＳ５２)、その結果、親宅玄関子機３Ａからの着信を、親宅室内親機５Ａを通じて息子宅玄関子機６Ｂに転送して、息子宅室内親機５Ｂのユーザに親宅への訪問者の来訪を報知することで、この処理動作を終了する。
【０１１６】
また、親機側制御部５０は、ステップＳ５０にてＯＮフラグが“１”でなければ、ステップＳ４９にて再度検出した親宅玄関子機３Ａの呼出ボタン１１のボタン操作、すなわち再度検出した親宅玄関子機３Ａからの着信が同一訪問者判定期間内になかったものと判断し、再度、転送タイマ４２Ａの計時動作を開始し(ステップＳ５３)、ＯＮフラグを“１”にセットすべく、ステップＳ４６に移行する。
【０１１７】
また、親機側制御部５０は、ステップＳ４８にて通話ボタン４５のボタン操作又は通話要求信号を検出した、すなわち応答検出部４６を通じて親宅玄関子機３Ａに対する着信応答を検出したのであれば、ドアホンインタフェース３４を通じて、親宅玄関子機３Ａとの通話路を形成し、呼出タイマ４２Ｂ及び転送タイマ４２Ａをリセットすることで(ステップＳ５４)、通話ボタン４５のボタン操作を検出した場合は親宅玄関子機３Ａ及び親宅室内親機５Ａ間、又は通話要求信号を検出した場合は親宅玄関子機３Ａ及び親宅室内子機６Ｂ間の通話を開始することになる。
【０１１８】
さらに、親機側制御部５０は、親宅玄関子機３Ａとの通話中に親宅室内親機５Ａの解除ボタン４８のボタン操作、又は親宅室内子機６Ａから通話切断信号を検出したか否かを判定する(ステップＳ５５)。
【０１１９】
親機側制御部５０は、親宅室内親機５Ａの解除ボタン４８のボタン操作又は親宅室内子機６Ａから通話切断信号を検出したのでなければ、親宅玄関子機３Ａとの通話を継続し、解除ボタン４８のボタン操作又は親宅室内親機６Ａから通話切断信号を検出したのであれば、親宅玄関子機３Ａとの通話路を切断することで(ステップＳ５６)、親宅玄関子機３Ａの呼出ボタン１１のボタン操作を監視すべく、ステップＳ４１に移行する。
【０１２０】
親機側制御部５０は、ステップＳ４９にて親宅玄関子機３Ａの呼出ボタン１１のボタン操作、すなわち着信検出部４４を通じて親宅玄関子機３Ａからの着信を再度検出したのでなければ、呼出タイマ４２Ｂがタイムアップしたか否かを判定する(ステップＳ５７)。
【０１２１】
親機側制御部５０は、ステップＳ５７にて呼出タイマ４２Ｂがタイムアップしたのであれば、呼出タイマ４２Ｂ及び転送タイマ４２Ａの計時動作をリセットして(ステップＳ５８)、親宅玄関子機３Ａの呼出ボタン１１のボタン操作を監視すべく、ステップＳ４１に移行する。
【０１２２】
また、親機側制御部５０は、ステップＳ５７にて呼出タイマ４２Ｂがタイムアップしたのでなければ、通話ボタン４５のボタン操作又は通話要求信号を検出したか否かを判定すべく、ステップＳ４８（Ｍ２）に移行する。
【０１２３】
図１１に示す不応答検出処理によれば、親宅玄関子機３Ａの呼出ボタン１１のボタン操作、すなわち親宅玄関子機３Ａからの着信を検出したタイミングでタイマ監視を開始すると共に、このタイマ監視中に同一訪問者判定期間（１５秒から３０秒）中にＯＮフラグが“１”のまま、親宅玄関子機３Ａから親宅室内親機５Ａに対して再度着信を検出すると、親宅室内親機５Ａでは、親宅玄関子機３Ａからの同一訪問者の着信に対する不応答であると自動的に判断し、同親宅玄関子機３Ａからの着信を、親宅室内親機５Ａを通じて息子宅室内親機５Ｂに転送するようにしたので、親宅室内親機５Ａは、特別な留守機能や転送機能等の設定操作を要することなく、判定タイマ４２Ｃを使用せずに、親宅玄関子機３Ａから同一訪問者の着信に対する不応答を自動的に判断し、この親宅玄関子機３Ａからの着信を息子宅室内親機５Ｂに自動的に転送することができる。
【０１２４】
その結果、息子宅室内親機５Ｂでは、親宅玄関子機３Ａから自動転送された親宅玄関子機３Ａの着信を息子宅室内親機５Ｂ側で受信すると、息子宅室内親機５Ｂの室内側スピーカ４０で呼出音を音響出力すると共に、息子宅室内子機６Ｂに対して同親宅玄関子機３Ａからの呼出信号を配信するようにしたので、息子宅ユーザは、息子宅室内親機５Ｂ又は息子宅室内子機６Ｂを使用して不在中の親宅ユーザに代わって親宅玄関子機３Ａ側の訪問者と話すことができる。
【０１２５】
第２の実施の形態によれば、親宅玄関子機３Ａからの着信を検出したタイミングでタイマ監視を開始すると共に、このタイマ監視中の同一訪問者判定期間内にＯＮフラグが“１”のまま、親宅玄関子機３Ａから親宅室内親機５Ａに対して再度着信を検出すると、親宅室内親機５Ａでは、親宅玄関子機３Ａからの同一訪問者の着信に対する不応答であると自動的に判断し、同親宅玄関子機３Ａからの着信を、親宅室内親機５Ａを通じて息子宅室内親機５Ｂに転送するようにしたので、親宅室内親機５Ａは、特別な留守機能や転送機能等の設定操作を要することなく、判定タイマ４２Ｃを使用せずに、親宅玄関子機３Ａからの同一訪問者の着信に対する不応答を自動的に判断し、この親宅玄関子機３Ａからの着信を息子宅室内親機５Ｂに自動的に転送することができる。
【０１２６】
尚、上記第１及び第２の実施の形態においては、親宅玄関子機３Ａから同一訪問者の着信に対する不応答であると、親宅室内親機５Ａ側で判断すると、息子宅室内親機５Ｂに対して親宅玄関子機３Ａの着信を自動転送するようにしたが、例えば親宅室内親機５Ａに収容接続する特定の親宅室内子機６Ａだけではなく、全部の親宅室内子機６Ａに着信(呼出信号)を配信出力するようにしても良いことは言うまでもない。
【０１２７】
また、上記第１及び第２の実施の形態においては、親宅室内親機５Ａ側で親宅玄関子機３Ａからの同一訪問者の着信に対して不応答であると判定されると、他世帯の息子宅室内親機５Ｂに対して同親宅玄関子機３Ａからの着信を自動転送するようにしたが、例えば電話回線７に接続する親宅電話機８Ａを通じて所定外線先に同着信を自動転送するようにしても良く、この場合のシステム構成を第３の実施の形態として説明する。
【０１２８】
(実施の形態３)
以下、図面に基づいて第３の実施の形態を示す二世帯インターホンシステムについて説明する。図１２は第３の実施の形態を示す二世帯インターホンシステムの親宅室内親機５Ａ(息子宅室内親機５Ｂ)の内部構成を示すブロック図である。尚、第２の実施の形態を示す二世帯インターホンシステム１Ａと同一の構成については同一符号を付すことで、その重複する構成及び動作の説明については省略する。
【０１２９】
図１２に示す二世帯インターホンシステム１Ｂの親宅室内親機５Ａと図９に示す二世帯インターホンシステム１Ａの親宅室内親機５Ａとが異なるところは、電話回線７に接続する親宅電話機８Ａとの通信インタフェースを司る電話機インタフェース６４を有し、親機側制御部５０は、親宅玄関子機３Ａからの同一訪問者の着信に対して不応答であると判定されると、同親宅玄関子機３Ａの着信を電話機インタフェース６４及び親宅電話機８Ａを通じて、例えば親宅ユーザの所有する携帯電話機等の所定外線先に自動転送するようにしたものである。
【０１３０】
尚、請求項記載の電話機は親宅電話機８Ａ（息子宅電話機８Ｂ）、電話機インタフェースは電話機インタフェース６４に相当するものである。
【０１３１】
図１３は第３の実施の形態に関わる親宅電話機８Ａの不応答着信転送受信処理に関わる処理動作を示すフロー図である。
【０１３２】
図１３に示す不応答着信転送受信処理は、例えば親宅室内親機５Ａから不応答で自動転送された親宅玄関子機３Ａの着信を所定外線先に転送する親宅電話機８Ａ側の処理である。
【０１３３】
図１３において親宅電話機８Ａは、親宅室内親機５Ａ側の電話機インタフェース６４、無線通信部３２及び無線アンテナ３１を通じて発信コマンドを受信したか否かを判定する(ステップＳ６１)。尚、発信コマンドは、着信を所定外線先に転送要求する指示コマンドに相当するものである。
【０１３４】
親宅電話機８Ａは、親宅室内親機５Ａから発信コマンドを受信すると、登録済みの電話番号に基づき、電話回線７を通じて所定外線先に対して発信動作を実行する(ステップＳ６２)。尚、親宅電話機８Ａは、所定外線先、例えば親宅ユーザの所有する携帯電話機の電話番号等を予め登録しておくものとする。
【０１３５】
親宅電話機８Ａは、所定外線先が着信応答したか否かを判定する(ステップＳ６３)。親宅電話機８Ａは、所定外線先が着信応答したのであれば、親宅室内親機５Ａ、親宅電話機８Ａ及び電話回線７を通じて親宅玄関子機３Ａからの通話信号を所定外線先に伝送することで(ステップＳ６４)、親宅玄関子機３Ａ及び所定外線先間の通話路を確立することになる。その結果、所定外線先を親宅ユーザの携帯電話機とした場合、親宅ユーザは、外出先からでも、親宅訪問者の来訪を認識することができる。
【０１３６】
親宅電話機８Ａは、親宅玄関子機３Ａ及び所定外線先間の通話中に切断要求コマンドを検出したか否かを判定する(ステップＳ６５)。尚、切断要求コマンドとしては、親宅室内親機５Ａ又は所定外線先から出力し、例えば親宅室内親機５Ａの場合、親宅玄関子機３Ａ側の対人センサ信号に基づきＯＮフラグが“１”であるか否かを判定し、ＯＮフラグが“１”でなければ、親宅玄関子機３Ａの訪問者が帰ったものと判断し、電話機インタフェース６４を通じて切断要求コマンドを親宅電話機８Ａに出力するものである。また、所定外線先が端末の場合、通常の通話切断操作に応じて切断信号を切断要求コマンドとして親宅電話機８Ａに出力するものである。
【０１３７】
親宅電話機８Ａは、ステップＳ６５にて切断要求コマンドを検出したのであれば、通話中の親宅玄関子機３Ａとの通話を切断することで(ステップＳ６６)、この処理動作を終了する。
【０１３８】
また、親宅電話機８Ａは、ステップＳ６５にて切断要求コマンドを検出したのでなければ、親宅玄関子機３Ａとの通話を継続すべく、ステップＳ６４に移行する。
【０１３９】
また、親宅電話機８Ａは、ステップＳ６３にて所定外線先が着信応答したのでなければ、ステップＳ６２にて開始した発信動作に対する応答待ち時間がタイムアップしたか否かを判定する(ステップＳ６７)。
【０１４０】
また、親宅電話機８Ａは、応答待ち時間がタイムアップしたのであれば、ステップＳ６２にて開始した発信動作を停止し、所定外線先との電話回線７を切断することで(ステップＳ６８)、この処理動作を終了する。
【０１４１】
また、親宅電話機８Ａは、ステップＳ６７にて応答待ち時間がタイムアップしたのでなければ、所定外線先が着信応答したか否かを監視すべく、ステップＳ６３に移行する。
【０１４２】
図１３に示す不応答受信処理によれば、親宅室内親機５Ａ側にて親宅玄関子機３Ａの同一訪問者の着信に対して不応答であると判定されると、電話機インタフェース６４を通じて親宅電話機８Ａから所定外線先に対して発信動作を実行し、同所定外線先が着信応答すると、所定外線先及び親宅玄関子機３Ａ間の通話路を確立するようにしたので、親宅ユーザは、所定外線先の携帯電話機を使用して親宅訪問者の来訪を認識することができる。
【０１４３】
第３の実施の形態によれば、親宅室内親機５Ａ側にて親宅玄関子機３Ａの同一訪問者の着信に対して不応答であると判定されると、電話機インタフェース６４を通じて親宅電話機８Ａから所定外線先に対して発信動作を実行し、同所定外線先が着信応答すると、所定外線先及び親宅玄関子機３Ａ間の通話路を確立するようにしたので、所定外線先のユーザは、不在中の親宅ユーザに代わって親宅訪問者と話すことができる。
【０１４４】
尚、前述した第１及び第２の実施の形態においては、親宅室内親機５Ａ側で親宅玄関子機３Ａからの同一訪問者の着信に対して不応答であると判定されると、親宅留守番電話機９Ａに親宅玄関子機３Ａの親宅訪問者の伝言を録音するようにしても良く、この場合のシステム構成を、第４の実施の形態として説明する。
【０１４５】
(実施の形態４)
以下、図面に基づいて第４の実施の形態を示す二世帯インターホンシステムについて説明する。図１４は第４の実施の形態を示す二世帯インターホンシステム内部の親宅室内親機５Ａ（息子宅室内親機５Ｂ）内部の概略構成を示すブロック図である。尚、第２の実施の形態を示す二世帯インターホンシステム１Ａと同一の構成については同一符号を付すことで、その重複する構成及び動作の説明については省略する。
【０１４６】
図１４に示す二世帯インターホンシステム１Ｃの親宅室内親機５Ａと図９に示す二世帯インターホンシステム１Ａの親宅室内親機５Ａとが異なるところは、親宅留守番電話機９Ａとの通信インタフェースを司る留守番電話機インタフェース６５を有し、親機側制御部５０は、親宅玄関子機３Ａからの同一訪問者の着信に対して不応答であると判定されると、同親宅玄関子機３Ａの着信を、留守番電話機インタフェース６５を通じて親宅留守番電話機９Ａに自動転送すると共に、この親宅留守番電話機９Ａに対して親宅玄関子機３Ａの伝言を録音させるようにしたものである。
【０１４７】
尚、請求項記載の留守番電話機は親宅留守番電話機９Ａ、留守番電話機インタフェースは留守番電話機インタフェース６５に相当するものである。
【０１４８】
図１５は第４の実施の形態に関わる親宅室内親機５Ａ内部の親機側制御部５０の不応答着信転送受信処理に関わる処理動作を示すフロー図である。
【０１４９】
図１５に示す不応答着信転送受信処理は、不応答による親宅玄関子機３Ａの着信を親宅留守番電話機９Ａに自動転送し、同親宅留守番電話機９Ａ側で親宅玄関子機３Ａの着信に自動応答して同親宅玄関子機３Ａの訪問者伝言を同親宅留守番電話機９Ａに録音させる処理である。
【０１５０】
図１５において親宅室内親機５Ａの親機側制御部５０は、親宅玄関子機３Ａの着信に対して不応答であると判定されると、親宅留守番電話機９Ａに対して留守番コマンドを通知する（ステップＳ７１）。尚、留守番コマンドは、親宅留守番電話機９Ａを留守番モードに設定するものである。
【０１５１】
親機側制御部５０は、留守番電話機インタフェース６５を通じて親宅留守番電話機９Ａから留守番コマンドに対する応答信号を受信したか否かを判定する(ステップＳ７２)。親機側制御部５０は、留守番コマンドに対する応答信号を受信したのであれば、親宅留守番電話機９Ａ及び親宅玄関子機３Ａ間の通話路を形成して親宅留守番電話機９Ａから親宅玄関子機３Ａに対して、例えば「ただいま手が離せません。ご用件のある方はピーという発信音の後にメッセージをどうぞ」等の録音ガイダンスを伝送することになる(ステップＳ７３)。
【０１５２】
親機側制御部５０は、ドアホンインタフェース３４を通じて親宅玄関子機３Ａから訪問者の通話信号を音声信号として、留守番電話機インタフェース６５を通じて親宅留守番電話機９Ａに伝送し(ステップＳ７４)。その結果、親宅留守番電話機９Ａは、親宅玄関子機３Ａからの通話信号を訪問者の伝言として録音することになる。
【０１５３】
そして、親機側制御部５０は、ステップＳ７４にて親宅玄関子機３Ａから親宅留守番電話機９Ａに対して音声信号を伝送すると、親宅留守番電話機９Ａから切断信号を受信したか否かを判定する(ステップＳ７５)。
【０１５４】
親機側制御部５０は、親宅留守番電話機９Ａから切断信号を受信したのでなければ、親宅玄関子機３Ａからの音声信号を親宅留守番電話機９Ａに順次伝送すべく、ステップＳ７４に移行する。また、親機側制御部５０は、ステップＳ７５にて親宅留守番電話機９Ａから切断信号を受信したのであれば、この処理動作を終了する。
【０１５５】
また、親機側制御部５０は、ステップＳ７２にて親宅留守番電話機９Ａから留守番コマンドに対する応答信号を受信したのでなければ、タイマ判定部４３を通じて、親宅玄関子機３Ａの呼出ボタン１１のボタン操作に応じてタイマ起動した呼出タイマ４２Ｂがタイムアップしたか否かを判定する(ステップＳ７６)。
【０１５６】
親機側制御部５０は、ステップＳ７６にて呼出タイマ４２Ｂがタイムアップしたのであれば、この処理動作を終了する。また、親機側制御部５０は、ステップＳ７６にて呼出タイマ４２Ｂがタイムアップしたのでなければ、親宅留守番電話機９Ａから留守録コマンドに対する応答信号を受信したか否かを監視すべく、ステップＳ７２に移行する。
【０１５７】
図１５に示す不応答着信転送受信処理によれば、親宅室内親機５Ａ側にて親宅玄関子機３Ａの同一訪問者の着信に対して不応答であると判定されると、留守番電話機インタフェース６５を通じて親宅留守番電話機９Ａを留守番モードに自動設定することで、親宅玄関子機３Ａからの通話音声を伝言として親宅留守番電話機９Ａに録音するようにしたので、親宅ユーザは、不在中であったとしても、親宅留守番電話機９Ａに録音した伝言を受聴することで、不在中に訪問者の来訪があったことを認識することができる。
【０１５８】
第４の実施の形態によれば、親宅室内親機５Ａ側にて親宅玄関子機３Ａの同一訪問者の着信に対して不応答であると判定されると、留守番電話機インタフェース６５を通じて親宅留守番電話機９Ａを留守番モードに自動設定することで、親宅玄関子機３Ａからの通話音声を伝言として親宅留守番電話機９Ａに録音するようにしたので、親宅ユーザは、不在中であったとしても、親宅留守番電話機９Ａに録音した伝言を受聴することで、不在中に訪問者の来訪があったことを認識することができる。
【０１５９】
尚、上記実施の形態において、親宅玄関子機３Ａの信号重畳部１８では対人センサ信号及び呼出ボタン１１に関わる呼出信号に応じて、映像信号の変調を制御すると共に、この変調した変調信号と玄関側マイクロホン１５に関わる音声信号を重畳し、この重畳信号を、接続ライン４を通じて親宅室内子機６Ａに伝送するようにしている。
【０１６０】
そこで、親宅玄関子機３Ａ及び親宅室内親機５Ａ間の重畳信号の伝送方法につき、図８に示す親宅玄関子機３Ａ及び図９に示す親宅室内親機５Ａを想定して、第５の実施の形態として、より詳細に説明する。
【０１６１】
(実施の形態５)
図１６は図８の親宅玄関子機３Ａの信号重畳部１８内部の概略構成を示すブロック図、図１７は図９の親宅室内親機５Ａ内部の重畳信号処理部３５内部の概略構成を示すブロック図、図１８はＮＴＳＣ信号のデータ構成(信号波形)を示す説明図である。
【０１６２】
図１６に示す親宅玄関子機３Ａの信号重畳部１８は、ＣＣＤカメラ１３にて撮像した映像信号に玄関側画像処理部１７で画像処理を施し、この映像信号をＮＴＳＣ信号に変換し、さらに変換されたＮＴＳＣ信号をＦＭ変調し、同ＦＭ変調したＮＴＳＣ信号を重畳信号として、親子間インタフェース１９及び接続ライン４を通じて親宅室内親機５Ａに伝送するものである。
【０１６３】
図１８（ａ）に示すＮＴＳＣ信号は、水平走査ライン(５１２本)の飛び越し走査を実行する奇数フィールド（１〜２５５）及び偶数フィールド（２〜２５６）で構成する映像フィールドを有し、それぞれのフィールドの切替信号として、垂直帰線期間(ブランキング)を挿入している。この垂直帰線期間は、約１６ミリ秒毎にあり、１〜９Ｈの等価パルスで構成する垂直同期信号と、１０〜２１Ｈの帰線消去期間とで構成する。
【０１６４】
図１６に示す親宅玄関子機３Ａの信号重畳部１８は、玄関側画像処理部１７にて画像処理を施した映像信号をＮＴＳＣ信号に変換するＮＴＳＣ信号変換部７１と、呼出ボタン１１のボタン操作による呼出信号及び、対人センサ信号処理部６２の対人センサ信号に応じて、ＮＴＳＣ信号の垂直帰線期間の一部分の出力を停止制御する変調キャリア停止制御部７２と、変調キャリア停止制御部７２にて停止制御され、ＮＴＳＣ信号をＦＭ変調するＦＭ信号変調部７３とを有し、このＦＭ変調された信号は、接続ライン４及び親子間インタフェース１９を通じて親宅室内親機５Ａに伝送される。
【０１６５】
変調キャリア停止制御部７２は、呼出信号及び対人センサ信号がない場合、図１８（ａ）に示すようにＮＴＳＣ信号内の垂直帰線期間に対して、ＦＭ信号変調部７３の変調キャリア停止制御を実行しないので、通常のＮＴＳＣ信号が出力されるのに対し、呼出信号又は対人センサ信号がある場合、呼出信号又は対人センサ信号に応じて、図１８（ｂ）に示すように垂直帰線期間の一部分の出力を停止するように、ＦＭ信号変調部７３の変調キャリア停止制御を実行するものである。その結果、ＦＭ変調されたＮＴＳＣ信号内の垂直帰線期間の一部分の間、変調キャリアの停止（無キャリア）を実行し、親宅室内親機５Ａにて、このＦＭ変調された信号から無キャリアを検知するようにした。
【０１６６】
尚、変調キャリア停止制御部７２は、呼出ボタン１１及び対人センサ６１に対応した回数の変調キャリア停止を実行し、この変調キャリアの出力停止時間は１００ミリ秒の間、変調キャリアの停止(無キャリア)が所定回数行われる。
【０１６７】
図１７に示す親宅室内親機５Ａの重畳信号処理部３５は、ドアホンインタフェース３４を通じてＦＭ変調されたＮＴＳＣ信号を受信し、同ＦＭ変調されたＮＴＳＣ信号をＦＭ復調するＦＭ信号復調部８１と、ＦＭ信号復調部８１にてＦＭ復調したＮＴＳＣ信号を映像信号に変換し、この映像信号を室内側画像処理部３６に伝送するＮＴＳＣ信号再生部８２と、さらにＮＴＳＣ信号再生部８２にてＮＴＳＣ信号の垂直帰線期間の開始位置の検出及び、変調キャリア停止を検知する変調キャリア停止検出部８３と、この変調キャリア停止検出部８３にて検出した垂直帰線期間開始位置から変調キャリアの出力停止時間を１００ミリ秒計測する計測タイマ８４と、この計測タイマ８４の計測期間に、変調キャリア停止検出部８３にて検知された変調キャリア停止の回数をカウントし、このカウント回数と所定回数とを比較し、この比較結果に基づき、対人センサ信号又は呼出信号の有無を判定する信号判定部８５とを有している。
【０１６８】
信号判定部８５は、変調キャリア停止のカウント回数が例えば３回であると判定されると、呼出信号であると判断し、呼出信号として着信検出部４４に出力するのに対し、変調キャリア停止のカウント回数が例えば６回であると判定されると、対人センサ信号であると判断し、対人センサ信号として対人センサ信号検出部６３に出力するものである。
【０１６９】
尚、請求項記載の撮像手段はＣＣＤカメラ１３、信号重畳手段は信号重畳部１８、出力停止回数記憶手段及び信号判別手段は重畳信号処理部３５内の変調キャリア停止検出部８３、着信検出部４４内の計測タイマ８４及び信号判定部８５に相当するものである。
【０１７０】
次に親宅玄関子機３Ａから親宅室内親機５Ａに対してＮＴＳＣ信号を使用して呼出信号又は対人センサ信号を通知する際の親宅玄関子機３Ａ及び親宅室内親機５Ａの動作について説明する。図１９は親宅玄関子機３Ａの玄関子機側ＮＴＳＣ信号伝送処理に関わる子機側制御部２０の処理動作を示すフロー図である。
【０１７１】
図１９に示す玄関子機側ＮＴＳＣ信号伝送処理とは、例えば親宅玄関子機３Ａ側で呼出信号又は対人センサ信号を検出すると、ＮＴＳＣ信号の垂直帰線期間を使用して呼出信号及び対人センサ信号を親宅室内親機５Ａに伝送する処理である。
【０１７２】
図１９において親宅玄関子機３Ａの子機側制御部２０は、呼出ボタン１１のボタン操作を検出したか否かを判定する(ステップＳ８１)。
【０１７３】
信号重畳部１８は、呼出ボタン１１のボタン操作を検出すると、変調キャリア停止制御部７２を通じて垂直帰線期間における変調キャリア停止回数(例えば３回)をセットし(ステップＳ８２)、ＮＴＳＣ信号変換部７１を通じて玄関側画像処理部１７からの映像信号をＮＴＳＣ信号に変換する(ステップＳ８３)。
【０１７４】
信号重畳部１８は、変調キャリア停止回数に基づき、ＦＭ信号変調部７３にてＮＴＳＣ信号をＦＭ変調する際に、変調キャリア停止制御部７２を通じてＮＴＳＣ信号の垂直帰線期間の開始位置に同期し、ＦＭ変調キャリアを停止しながら、ＮＴＳＣ信号をＦＭ復調することで(ステップＳ８４)、このＦＭ復調したＮＴＳＣ信号を、接続ライン４を通じて親宅室内親機５Ａに順次伝送することになる。
【０１７５】
さらに信号重畳部１８は、変調キャリアの停止回数が所定回数に達したか否かを判定する(ステップＳ８５)。信号重畳部１８は、変調キャリアの停止回数が所定回数（例えば３回）に達したのであれば、すなわち、呼出信号のＦＭ変調キャリア停止を終了したということになる。
【０１７６】
そして、信号重畳部１８は、呼出信号のＦＭ変調キャリア停止が終了すると、変調キャリア停止制御部７２の垂直帰線期間の変調キャリア停止を解除し、ＮＴＳＣ信号変換部７１にて変換したＮＴＳＣ信号を変調キャリアを停止せずにＦＭ変調することで(ステップＳ８６)、このＦＭ変調したＮＴＳＣ信号を、接続ライン４を通じて親宅室内親機５Ａに順次伝送することになる。
【０１７７】
また、信号重畳部１８は、ステップＳ８５にて変調キャリアの停止回数が所定回数に達したのでなければ、変調キャリア停止制御部７２を通じて、ＮＴＳＣ信号の垂直帰線期間の変調キャリア停止を継続すべく、ステップＳ８４に移行する。
【０１７８】
また、子機側制御部２０は、ステップＳ８１にて呼出ボタン１１のボタン操作を検出したのでなければ、対人センサ６１で訪問者を検出したか否かを判定する(ステップＳ８７)。
【０１７９】
信号重畳部１８は、対人センサ６１で訪問者を検出すると、変調キャリア停止回数(例えば６回)をセットし(ステップＳ８８)、ステップＳ８３に移行する。
【０１８０】
そして、信号重畳部１８は、ステップＳ８５にて対人センサ信号の変調キャリアの停止回数が所定回数に達するまで、変調キャリア停止制御部７２を通じて、ステップＳ８４にてＮＴＳＣ信号の垂直帰線期間の開始位置に同期し、ＦＭ変調キャリアを停止しながら、ＮＴＳＣ信号をＦＭ復調することで、このＦＭ復調したＮＴＳＣ信号を、接続ライン４を通じて親宅室内親機５Ａに順次伝送することになる。
【０１８１】
そして、信号重畳部１８は、ステップＳ８５にて変調キャリアの停止回数が所定回数(例えば６回)に達したのであれば、すなわち、対人センサ信号のＦＭ変調キャリア停止を終了したということになる。
【０１８２】
図１９に示す玄関子機側ＮＴＳＣ信号伝送処理によれば、親宅玄関子機３Ａ側で呼出ボタン１１のボタン操作を検出すると、ＮＴＳＣ信号のＦＭ変調時にＮＴＳＣ信号の垂直帰線期間における一部分だけ、ＦＭ変調キャリアを３回停止して変調し、このＦＭ変調信号を、接続ライン４を通じて親宅室内親機５Ａに伝送すると共に、親宅玄関子機３Ａ側で対人センサ６１にて訪問者を検出すると、ＮＴＳＣ信号のＦＭ変調時にＮＴＳＣ信号の垂直帰線期間における一部分だけ、ＦＭ変調キャリアを６回停止して変調し、このＦＭ変調信号を、接続ライン４を通じて親宅室内親機５Ａに伝送するようにしたので、親宅玄関子機３Ａ側では呼出信号及び対人センサ信号をＮＴＳＣ信号を使用して親宅室内親機５Ａに伝送することができる。
【０１８３】
図２０は親宅室内親機５Ａの室内親機側ＮＴＳＣ信号検出処理に関わる親機側制御部５０の処理動作を示すフロー図である。
【０１８４】
図２０に示す室内親機側ＮＴＳＣ信号検出処理は、接続ライン４を通じて親宅玄関子機３Ａから受信した重畳信号としてのＮＴＳＣ信号から呼出信号及び対人センサ信号を検出する親宅室内親機５Ａ側の処理である。
【０１８５】
図２０において親宅室内親機５Ａの親機側制御部５０は、ドアホンインタフェース３４を通じて、親宅玄関子機３ＡからＦＭ変調されたＮＴＳＣ信号を受信したか否かを判定する(ステップＳ９１)。
【０１８６】
重畳信号処理部３５は、ＮＴＳＣ信号を受信すると、ＦＭ復調部８１を通じてＮＴＳＣ信号をＦＭ復調すると共に、この復調信号の変調キャリアの無キャリア(停止)を検出し(ステップＳ９２)、変調キャリア停止検出部８３を通じてＦＭ復調されたＮＴＳＣ信号から垂直帰線期間の開始位置を検出する(ステップＳ９３)。
【０１８７】
重畳信号処理部３５は、垂直帰線期間の開始位置を検出すると、計測タイマ８４を通じて、同開始位置から、呼出信号及び対人センサ信号が含まれる変調キャリアの出力停止時間を計測(１００ミリ秒)し(ステップＳ９４)、その計測時間内に検出された復調信号の変調キャリアの無キャリア(停止)回数を、信号判定部８５を通じて所定回数と比較する(ステップＳ９５)。
【０１８８】
親機側制御部５０は、ステップＳ９５にて変調キャリアの無キャリア(停止)回数が３回であると判定されると、呼出信号であると判断し、呼出信号を着信検出部４４に通知すると共に、室内側音源アンプ４１を通じて室内側スピーカ４０から呼出音を音響出力することで(ステップＳ９６)、この処理動作を終了する。
【０１８９】
また、重畳信号処理部３５は、ステップＳ９５にて変調キャリアの無キャリア(停止)回数が３回でないと判定されると、信号判定部８５を通じて、無キャリア(停止)回数が６回であるか否かを判定する(ステップＳ９７)。
【０１９０】
親機側制御部５０は、ステップＳ９７にて変調キャリアの無キャリア(停止)回数が６回であると判定されると、対人センサ信号であると判断し、対人センサ信号にＯＮフラグを“１”に設定することで、この処理動作を終了する。
【０１９１】
図２０に示す室内親機側ＮＴＳＣ信号検出処理によれば、親宅玄関子機３ＡからＮＴＳＣ信号を受信し、ＮＴＳＣ信号の垂直帰線期間の開始位置から呼出信号及び対人センサ信号が含まれる変調キャリアの出力停止時間を計測(１００ミリ秒)し、この計測期間内に検出された復調信号の変調キャリアの無キャリア(停止)回数を所定回数と比較判定し、変調キャリアの無キャリア(停止)回数が３回の場合は呼出信号と判断し、６回の場合は対人センサ信号と判断するようにしたので、親宅室内親機５Ａ側では、親宅玄関子機３ＡからのＮＴＳＣ信号の変調キャリアの無キャリア(停止)回数に基づき、対人センサ信号及び呼出信号の有無を認識することができる。
【０１９２】
第５の実施の形態によれば、親宅玄関子機３Ａから親宅室内親機５Ａに対して呼出信号や対人センサ信号を伝送する場合にＮＴＳＣ信号の垂直帰線期間の一部分の変調キャリアの無キャリア（停止）を利用して呼出信号及び対人センサ信号を伝送すると共に、親宅室内親機５Ａ側では垂直帰線期間内の開始位置から所定時間を計測し、変調キャリアの無キャリア(停止)回数に基づき、呼出信号及び対人センサ信号を認識できるようにしたので、呼出信号や対人センサ信号のために余分なラインが不要となる。
【産業上の利用可能性】
【０１９３】
本発明のインターホン装置は、室内親機側で、応答検出手段の検出結果に基づき、玄関子機からの着信に対して応答がない、すなわち不応答であるか否かを自動的に判定し、前記着信に対して不応答であると判定されると、不応答処理を実行するようにしたので、室内親機側では、留守機能や転送機能等の設定操作を行わなくても、玄関子機からの着信に対する不応答を自動的に判断し、例えば玄関子機からの着信を他の室内親機に転送するような不応答処理を自動的に実行することができるため、例えば二世帯住宅の二世帯インターホンシステムに有用である。
【図面の簡単な説明】
【０１９４】
【図１】本発明のインターホン装置に関わる第１の実施の形態を示す二世帯インターホンシステム内部の概略構成を示すブロック図
【図２】第１の実施の形態に関わる親宅玄関子機(息子宅玄関子機)内部の概略構成を示すブロック図
【図３】第１の実施の形態に関わる親宅室内親機(息子宅室内親機)内部の概略構成を示すブロック図
【図４】第１の実施の形態に関わる親宅室内親機(息子宅室内親機)内部の不応答検出処理に関わるタイミングチャート図
【図５】第１の実施の形態に関わる親宅室内親機(息子宅室内親機)内部の不応答検出処理に関わる親機側制御部の処理動作を示すフロー図
【図６】第１の実施の形態に関わる息子宅室内親機(親宅室内親機)内部の不応答着信転送受信処理に関わる親機側制御部の処理動作を示すフロー図
【図７】第２の実施の形態を示す二世帯インターホンシステム内部の概略構成を示すブロック図
【図８】第２の実施の形態に関わる親宅玄関子機(息子宅玄関子機)内部の概略構成を示すブロック図
【図９】第２の実施の形態に関わる親宅室内親機(息子宅室内親機)内部の概略構成を示すブロック図
【図１０】第２の実施の形態に関わる親宅室内親機(息子宅室内親機)内部の不応答検出処理に関わるタイミングチャート図
【図１１】第２の実施の形態に関わる親宅室内親機(息子宅室内親機)内部の不応答検出処理に関わる親機側制御部の処理動作を示すフロー図
【図１２】第３の実施の形態を示す二世帯インターホンシステムに関わる親宅室内親機(息子宅室内親機)内部の概略構成を示すブロック図
【図１３】第３の実施の形態に関わる親宅電話機(息子宅電話機)内部の不応答着信転送受信処理に関わる親機側制御部の処理動作を示すフロー図
【図１４】第４の実施の形態を示す二世帯インターホンシステムに関わる親宅室内親機(息子宅室内親機)内部の概略構成を示すブロック図
【図１５】第４の実施の形態に関わる親宅室内親機(息子宅室内親機)内部の不応答着信転送受信処理に関わる親機側制御部の処理動作を示すフロー図
【図１６】第５の実施の形態を示す二世帯インターホンシステムに関わる親宅玄関子機(息子宅玄関子機)内部の要部である信号重畳部内部の概略構成を示すブロック図
【図１７】第５の実施の形態に関わる親宅室内親機(息子宅室内親機)内部の要部である重畳信号処理部内部の概略構成を示すブロック図
【図１８】第５の実施の形態に関わる親宅玄関子機（息子宅玄関子機）から親宅室内親機(息子宅室内子機)に伝送するＮＴＳＣ信号のデータ構成を端的に示す説明図
【図１９】第５の実施の形態に関わる親宅玄関子機(息子宅玄関子機)内部の玄関子機側ＮＴＳＣ信号伝送処理に関わる子機側制御部の処理動作を示すフロー図
【図２０】第５の実施の形態に関わる親宅室内親機（息子宅室内親機）内部の室内親機側ＮＴＳＣ信号検出処理に関わる親機側制御部の処理動作を示すフロー図
【符号の説明】
【０１９５】
１  二世帯インターホンシステム（インターホン装置）
３Ａ  親宅玄関子機(玄関子機)
５Ａ  親宅室内親機(室内親機)
５Ｂ  息子宅室内親機(室内親機)
６Ａ  親宅室内子機(室内子機)
６Ｂ  息子宅室内子機(室内子機)
８Ａ  親宅電話機(電話機)
９Ａ  親宅留守番電話機(留守番電話機)
１１  呼出ボタン
１３  ＣＣＤカメラ(撮像手段)
１８  信号重畳部(信号重畳手段、感知信号伝送手段)
４２  タイマ部(計時手段)
４４  着信検出部(着信検出手段、出力停止回数記憶手段及び信号判別手段)
４６  応答検出部(応答検出手段)
５０  親機側制御部(不応答判定手段、不応答処理手段)
５２  仮想室内子機転送部(室内親機接続インタフェース)
６１  対人センサ（訪問者感知手段）
６２  対人センサ信号処理部(感知信号伝送手段)
６３  対人センサ信号検出部(訪問者有無記憶手段)
６４  電話機インタフェース
６５  留守番電話機インタフェース
【図１】
2007143053.tif 000003
【図２】
2007143053.tif 000004
【図３】
2007143053.tif 000005
【図４】
2007143053.tif 000006
【図５】
2007143053.tif 000007
【図６】
2007143053.tif 000008
【図７】
2007143053.tif 000009
【図８】
2007143053.tif 000010
【図９】
2007143053.tif 000011
【図１０】
2007143053.tif 000012
【図１１】
2007143053.tif 000013
【図１２】
2007143053.tif 000014
【図１３】
2007143053.tif 000015
【図１４】
2007143053.tif 000016
【図１５】
2007143053.tif 000017
【図１６】
2007143053.tif 000018
【図１７】
2007143053.tif 000019
【図１８】
2007143053.tif 000020
【図１９】
2007143053.tif 000021
【図２０】
2007143053.tif 000022